【手続補正書】
【提出日】平成16年10月12日(2004.10.12)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】
入力画像情報における注目画素の周辺の複数画素からｍ（ｍ≧１）点の画素（ただし、ｍ点中の観測点の画素値をP（ｎ）とする）を検出する検出手段と、
前記入力画像情報に基づいて、前記注目画素を複数の画素に補間する補間手段と、
各補間点ｋにおいて補間された補間値C（ｋ）に基づいて出力値ｈ（ｋ）を
【数１】
1999195113.tif 000001
（α（ｎ）、β、γ（ｓ）は任意の係数、Q（ｓ）は画素値のとりうる範囲内の任意の信号値、ωは任意の値、ｔはｔ≧１、ただし、β≠０）により演算する演算手段とを有することを特徴とする画像処理装置。
【請求項２】
前記入力画像情報を平滑化する平滑化手段を有し、前記補間手段は平滑化された情報に基づいて前記注目画素を複数の画素に補間することを特徴とする請求項１に記載の画像処理装置。
【請求項３】
前記α（ｎ）、β、γ（ｓ）の関係は、
【数２】
1999195113.tif 000002
を満たすことを特徴とする請求項１に記載の画像処理装置。
【請求項４】
α（ｎ）、P（ｎ）、β、γ（ｓ）、Q（ｓ）の複数の組み合わせを有し、演算された複数のｈ（ｋ）の値を相互に比較することによって最適な値を出力値D（ｋ）として選択することを特徴とする請求項１に記載の画像処理装置。
【請求項５】
前記ｍがｍ＝２である場合、α（１）、α（２）は、前記周辺の複数画素の中の最大値と最小値であることを特徴とする請求項１に記載の画像処理装置。
【請求項６】
前記入力画像情報が１色あたりZビット／画素であり、かつ前記ｔがｔ＝２である場合、γ（１）、γ（２）は“０”と“２Z−１”であることを特徴とする請求項１に記載の画像処理装置。
【請求項７】
入力画像情報における注目画素の周辺の複数画素からｍ（ｍ≧１）点の画素（ただし、ｍ点中の観測点の画素値をP（ｎ）とする）を検出する検出工程と、
前記入力画像情報に基づいて、前記注目画素を複数の画素に補間する補間工程と、
各補間点ｋにおいて補間された補間値C（ｋ）に基づいて出力値ｈ（ｋ）を
【数３】
1999195113.tif 000003
（α（ｎ）、β、γ（ｓ）は任意の係数、Q（ｓ）は画素値のとりうる範囲内の任意の信号値、ωは任意の値、ｔはｔ≧１、ただし、β≠０）により演算する演算工程とを有することを特徴とする画像処理方法。
【請求項８】
前記入力画像情報を平滑化する平滑化工程を有し、前記補間工程は平滑化された情報に基づいて前記注目画素を複数の画素に補間することを特徴とする請求項７に記載の画像処理方法。
【請求項９】
前記α（ｎ）、β、γ（ｓ）の関係は、
【数４】
1999195113.tif 000004
を満たすことを特徴とする請求項７に記載の画像処理方法。
【請求項１０】
α（ｎ）、P（ｎ）、β、γ（ｓ）、Q（ｓ）の複数の組み合わせを有し、演算された複数のｈ（ｋ）の値を相互に比較することによって最適な値を出力値D（ｋ）として選択することを特徴とする請求項７に記載の画像処理方法。
【請求項１１】
前記ｍがｍ＝２である場合、α（１）、α（２）は、前記周辺の複数画素の中の最大値と最小値であることを特徴とする請求項７に記載の画像処理方法。
【請求項１２】
前記入力画像情報が１色あたりZビット／画素であり、かつ前記ｔがｔ＝２である場合、γ（１）、γ（２）は“０”と“２Z−１”であることを特徴とする請求項７に記載の画像処理方法。
【請求項１３】
低解像度情報を高解像度情報に変換するための画像処理装置であって、
前記低解像度情報を入力する入力手段と、
前記入力手段によって入力された注目画素及びその周囲の複数画素の低解像度情報の中からｍ（ｍ≧１）個の画素の情報を検出する検出手段と、
前記入力手段によって入力された前記注目画素の低解像度情報を複数画素の補間情報に変換する変換手段と、
前記検出手段によって検出された前記ｍ個の画素の情報と、前記変換手段によって変換された前記補間情報と、前記低解像度情報とは関連しない任意の値とに基づいて高解像度情報を演算する演算手段と、
を有することを特徴とする画像処理装置。
【請求項１４】
前記入力された低解像度情報を平滑化する平滑化手段を有し、前記変換手段は前記平滑化手段によって平滑化された情報に基づいて、前記注目画素の情報を前記補間情報に変換することを特徴とする請求項１３に記載の画像処理装置。
【請求項１５】
ｍがｍ＝２である場合、前記検出手段は入力された注目画素及びその周囲の複数画素の低解像度情報から最大値と最小値を検出することを特徴とする請求項１３または１４に記載の画像処理装置。
【請求項１６】
低解像度情報を高解像度情報に変換するための画像処理方法であって、
前記低解像度情報を入力する入力工程と、
前記入力工程で入力された注目画素及びその周囲の複数画素の低解像度情報の中からｍ（ｍ≧１）個の画素の情報を検出する検出工程と、
前記入力工程で入力された前記注目画素の低解像度情報を複数画素の補間情報に変換する変換工程と、
前記検出工程で検出された前記ｍ個の画素の情報と、前記変換工程で変換された前記補間情報と、前記低解像度情報とは関連しない任意の値とに基づいて高解像度情報を演算する演算工程と、
を有することを特徴とする画像処理方法。
【請求項１７】
前記入力された低解像度情報を平滑化する平滑化工程を有し、前記変換工程では前記平滑化工程で平滑化された情報に基づいて、前記注目画素の情報を前記補間情報に変換することを特徴とする請求項１６に記載の画像処理方法。
【請求項１８】
ｍがｍ＝２である場合、前記検出工程では入力された注目画素及びその周囲の複数画素の低解像度情報から最大値と最小値を検出することを特徴とする請求項１６または１７に記載の画像処理方法。
【手続補正３】
【補正対象書類名】明細書
【補正対象項目名】０００１
【補正方法】変更
【補正の内容】
【０００１】
【発明の属する技術分野】
本発明は、入力した画像情報を、拡大変倍して出力するプリンタ等の画像出力装置や、解像度の異なる機種間通信で、低解像情報から高解像情報に解像度変換する場合に用いて好適な画像処理装置及び画像処理方法に関する。
【手続補正４】
【補正対象書類名】明細書
【補正対象項目名】００１５
【補正方法】変更
【補正の内容】
【００１５】
本発明は上述した従来の課題を解決するものであり、入力した低解像情報のコントラストが劣化している場合でも、入力情報のコントラスト以上の鮮明な高解像画像をジャギーレスに作成することができる画像処理装置及び画像処理方法を提供することを目的とする。
【手続補正５】
【補正対象書類名】明細書
【補正対象項目名】００１６
【補正方法】変更
【補正の内容】
【００１６】
【課題を解決するための手段】
本発明による画像処理装置においては、入力画像情報における注目画素の周辺の複数画素からｍ（ｍ≧１）点の画素（ただし、ｍ点中の観測点の画素値をP（ｎ）とする）を検出する検出手段と、前記入力画像情報に基づいて、前記注目画素を複数の画素に補間する補間手段と、各補間点ｋにおいて補間された補間値C（ｋ）に基づいて出力値ｈ（ｋ）を
【数６】
1999195113.tif 000005
（α（ｎ）、β、γ（ｓ）は任意の係数、Q（ｓ）は画素値のとりうる範囲内の任意の信号値、ωは任意の値、ｔはｔ≧１、ただし、β≠０）により演算する演算手段とを有することを特徴とする。
【手続補正６】
【補正対象書類名】明細書
【補正対象項目名】００１７
【補正方法】変更
【補正の内容】
【００１７】
本発明による画像処理方法においては、入力画像情報における注目画素の周辺の複数画素からｍ（ｍ≧１）点の画素（ただし、ｍ点中の観測点の画素値をP（ｎ）とする）を検出する検出工程と、前記入力画像情報に基づいて、前記注目画素を複数の画素に補間する補間工程と、各補間点ｋにおいて補間された補間値C（ｋ）に基づいて出力値ｈ（ｋ）を
【数７】
1999195113.tif 000006
（α（ｎ）、β、γ（ｓ）は任意の係数、Q（ｓ）は画素値のとりうる範囲内の任意の信号値、ωは任意の値、ｔはｔ≧１、ただし、β≠０）により演算する演算工程とを有することを特徴とする。
【手続補正７】
【補正対象書類名】明細書
【補正対象項目名】００１８
【補正方法】変更
【補正の内容】
【００１８】
本発明による画像処理装置においては、低解像度情報を高解像度情報に変換するための画像処理装置であって、前記低解像度情報を入力する入力手段と、前記入力手段によって入力された注目画素及びその周囲の複数画素の低解像度情報の中からｍ（ｍ≧１）個の画素の情報を検出する検出手段と、前記入力手段によって入力された前記注目画素の低解像度情報を複数画素の補間情報に変換する変換手段と、前記検出手段によって検出された前記ｍ個の画素の情報と、前記変換手段によって変換された前記補間情報と、前記低解像度情報とは関連しない任意の値とに基づいて高解像度情報を演算する演算手段と、を有することを特徴とする。
本発明による画像処理方法においては、低解像度情報を高解像度情報に変換するための画像処理方法であって、前記低解像度情報を入力する入力工程と、前記入力工程で入力された注目画素及びその周囲の複数画素の低解像度情報の中からｍ（ｍ≧１）個の画素の情報を検出する検出工程と、前記入力工程で入力された前記注目画素の低解像度情報を複数画素の補間情報に変換する変換工程と、前記検出工程で検出された前記ｍ個の画素の情報と、前記変換工程で変換された前記補間情報と、前記低解像度情報とは関連しない任意の値とに基づいて高解像度情報を演算する演算工程と、を有することを特徴とする。